(57)【要約】      （修正有）【課題】ヘッドレストの後面下方部分に格納可能で、簡単な操作で格納状態にもハンガー状態（使用状態）にできる、構成簡単でコンパクトなハンガーの提供。【解決手段】ヘッドレスト１０が後面１４の下方部分にへこむところの格納へこみ段１５を付け、そして、その後面１４の中央部分にへこむところの窪みを備え、そして、格納型逆Ｔ字ハンガー２０が固定ハンガー・ブラケットと、根元に可動ハンガー・ブラケット２９を有するステムおよびそのステムの先端に直交状に一体化される横断面Ｕ字形メイン・ハンガー・バー３０で組み立てられる逆Ｔ字メイン・ハンガー２７と、左右のグリップ３３、３４と、ねじりスプリングと、ハンガー・ストッパーと、グリップ戻しスプリングと、左右の弾性フック、ロック・スプリング４０、および左右のロック・レリーズ・ワイヤで組み立てられるロック装置とを含む。【選択図】図２
2008183183.tif 000002
【特許請求の範囲】
【請求項１】
ヘッドレスト後面の下方部分にへこむ格納へこみ段に連続されるそのヘッドレスト後面の窪みに固定的にはめ込まれる固定ハンガー・ブラケットと、根元に可動ハンガー・ブラケットを備えるステム、およびそのステムの先端に直交されて一体化される横断面Ｕ字形メイン・ハンガー・バーで組み立てられ、そして、その可動ハンガー・ブラケットでその固定ハンガー・ブラケットに上下方向に搖動可能に結合されてその格納へこみ段（格納位置）とハンガー状態（使用位置）との間に押し下げ引き上げ可能にされる逆Ｔ字メイン・ハンガーと、そのメイン・ハンガー・バーの両側上に摺動可能にはめ合わされて支持され、そして、そのメイン・ハンガー・バーの両側に引き出されてハンガー状態の長さに延長させ、また、そのメイン・ハンガー・バーの両側に引っ込められて格納状態の長さに戻す左右のグリップと、その固定ハンガー・ブラケットとその可動ハンガー・ブラケットとの間に配置され、そして、その使用位置にその逆Ｔ字メイン・ハンガーを付勢するねじりスプリングと、その逆Ｔ字メイン・ハンガーのその格納位置でその固定ハンガー・ブラケットにその可動ハンガー・ブラケットをロックするハンガー・ストッパーとを含む格納型逆Ｔ字ハンガー付きヘッドレスト。
【請求項２】
ヘッドレスト後面の下方部分にへこむ格納へこみ段に連続されるそのヘッドレスト後面の窪みに固定的にはめ込まれる固定ハンガー・ブラケットと、根元に可動ハンガー・ブラケットを備えるステム、およびそのステムの先端に直交されて一体化される横断面Ｕ字形メイン・ハンガー・バーで組み立てられ、そして、その可動ハンガー・ブラケットでその固定ハンガー・ブラケットに上下方向に搖動可能に結合されてその格納へこみ段（格納位置）とハンガー状態（使用位置）との間に押し下げ引き上げ可能にされる逆Ｔ字メイン・ハンガーと、内部に窓を備え、そのメイン・ハンガー・バーの両側上に摺動可能にはめ合わされて支持され、そして、そのメイン・ハンガー・バーの両側に引き出されてハンガー状態の長さに延長させ、また、そのメイン・ハンガー・バーの両側に引っ込められて格納状態の長さに戻す左右のグリップと、その固定ハンガー・ブラケットとその可動ハンガー・ブラケットとの間に配置され、そして、その使用位置にその逆Ｔ字メイン・ハンガーを付勢するねじりスプリングと、その逆Ｔ字メイン・ハンガーのその格納位置でその固定ハンガー・ブラケットにその可動ハンガー・ブラケットをロックするハンガー・ストッパーと、そのメイン・ハンガー・バー内に組み込まれ、両端でその左右のグリップに連結され、そして、その左右のグリップを引っ込め方向に付勢するグリップ戻しスプリングと、そのメイン・ハンガー・バーの両側端に突き出されてそのメイン・ハンガー・バーに組み込まれる左右の弾性フック、その左右のグリップのその窓にその左右の弾性フックをはめ合わせ方向に付勢する左右のロック・スプリング、および一端でその弾性フックに結合されてそのメイン・ハンガー・バーおよびステム内を通ってその可動ハンガー・ブラケットに伸び、そして、他端でその固定ハンガー・ブラケットの左右の支持アーム側に止められる左右のロック・レリーズ・ワイヤとで組み立てられ、そして、ハンガー押上げ操作に応動してその窓からその弾性フックを外してそのグリップ戻しスプリングでそのメイン・ハンガー・バーの両側にそのグリップを引っ込めるロック装置とを含む格納型逆Ｔ字ハンガー付きヘッドレスト。
【発明の詳細な説明】
【技術分野】
【０００１】
この発明は、自動車シートに用いられる格納型逆Ｔ字ハンガー付きヘッドレストに関する。
【背景技術】
【０００２】
通常、自動車では、格納型折りたたみハンガーが用いられるのが一般でそのハンガーは、不使用時に折りたたまれてヘッドレストに格納される構造を採る。ところが、その種のハンガーは長尺に折りたたまれるので、そのヘッドレストは内部に大きな収納スペースが必要になり、その結果、そのヘッドレストはクッション性が低下される。そのクッション性を確保しようとすると、そのヘッドレストは大型化せねばならなくなる。
【特許文献１】実開平７−２５８５２号公報
【発明の開示】
【発明が解決しようとする課題】
【０００３】
この発明の課題は、ハンガーが構造を簡単にして操作も簡単でコンパクトにまとめられ、格納状態にもハンガー状態（使用状態）にもでき、ヘッドレスト後面の下方部分に格納できて使い易く、そして、格納時、邪魔にならないところの格納型逆Ｔ字ハンガー付きヘッドレストの提供にある。
【課題を解決するための手段】
【０００４】
この発明の格納型逆Ｔ字ハンガー付きヘッドレストは、ヘッドレスト後面の下方部分にへこむ格納へこみ段に連続されるそのヘッドレスト後面の窪みに固定的にはめ込まれる固定ハンガー・ブラケットと、根元に可動ハンガー・ブラケットを備えるステム、およびそのステムの先端に直交されて一体化される横断面Ｕ字形メイン・ハンガー・バーで組み立てられ、そして、その可動ハンガー・ブラケットでその固定ハンガー・ブラケットに上下方向に搖動可能に結合されてその格納へこみ段（格納位置）とハンガー状態（使用位置）との間に押し下げ引き上げ可能にされる逆Ｔ字メイン・ハンガーと、そのメイン・ハンガー・バーの両側上に摺動可能にはめ合わされて支持され、そして、そのメイン・ハンガー・バーの両側に引き出されてハンガー状態の長さに延長させ、また、そのメイン・ハンガー・バーの両側に引っ込められて格納状態の長さに戻す左右のグリップと、その固定ハンガー・ブラケットとその可動ハンガー・ブラケットとの間に配置され、そして、その使用位置にその逆Ｔ字メイン・ハンガーを付勢するねじりスプリングと、その逆Ｔ字メイン・ハンガーのその格納位置でその固定ハンガー・ブラケットにその可動ハンガー・ブラケットをロックするハンガー・ストッパーとを含む。
【発明の効果】
【０００５】
この発明では、構成が簡単でヘッドレスト後面にコンパクトにまとめられて格納でき、そして、操作も簡単になり、すなわち、押し下げ操作で格納状態にでき、また、引き上げ操作でハンガー状態にでき、そのヘッドレスト後面の下方部分に格納できて使い易く、そして、格納時、邪魔にならず、さらには、ハンガーがヘッドレストに一体型であるので不使用時、そのハンガーがそのヘッドレスト後面の下方部分に格納できてそのハンガーが紛失することもなく、また、邪魔にならず、そのハンガーに掛けた上着が低い位置にあって後方視界の妨げや安全確保の妨げが避けられ、さらに、そのハンガーがそのねじリスプングによって上方への付勢、保持されるので、使用時の操作が複雑化されず、そして、そのハンガーがそのヘッドレスト後面の下方部分のへこみ段に格納されるので、格納時、違和感のないヘッドレストの外観品質が得られ、それに伴ってそのハンガーの存在感もアピールできる。
【発明を実施するための最良の形態】
【０００６】
固定ハンガー・ブラケットは、ヘッドレスト後面の下方部分にへこむ格納へこみ段に連続されるそのヘッドレスト後面の窪みに固定的にはめ込まれ、逆Ｔ字メイン・ハンガーは、根元に可動ハンガー・ブラケットを備えるステム、およびそのステムの先端に直交されて一体化される横断面Ｕ字形メイン・ハンガー・バーで組み立てられ、そして、その可動ハンガー・ブラケットでその固定ハンガー・ブラケットに上下方向に搖動可能に結合されてその格納へこみ段（格納位置）とハンガー状態（使用位置）との間に押し下げ引き上げ可能にされ、左右のグリップは、内部に窓を備え、そのメイン・ハンガー・バーの両側上に摺動可能にはめ合わされて支持され、そして、そのメイン・ハンガー・バーの両側に引き出されてハンガー状態の長さに延長させ、また、そのメイン・ハンガー・バーの両側に引っ込められて格納状態の長さに戻し、ねじりスプリングは、その固定ハンガー・ブラケットとの可動ハンガー・ブラケットとの間に配置され、そして、その使用位置にその逆Ｔ字メイン・ハンガーを付勢し、ハンガー・ストッパーは、その逆Ｔ字メイン・ハンガーのその格納位置でその固定ハンガー・ブラケットにその可動ハンガー・ブラケットをロックし、グリップ戻しスプリングは、そのメイン・ハンガー・バー内に組み込まれ、両端でその左右のグリップに連結され、そして、その左右のグリップを引っ込め方向に付勢し、左右の弾性フックは、そのメイン・ハンガー・バーの両側端に突き出されてそのメイン・ハンガー・バーに組み込まれ、ロック装置は、その左右のグリップのその窓にその左右の弾性フックをはめ合わせ方向に付勢する左右のロック・スプリング、および一端でその弾性フックに結合されてそのメイン・ハンガー・バーおよびステム内を通ってその可動ハンガー・ブラケットに伸び、そして、他端でその固定ハンガー・ブラケットの左右の支持アーム側に止められる左右のロック・レリーズ・ワイヤとで組み立てられ、そして、ハンガー押上げ操作に応動してその窓からその弾性フックを外してそのグリップ戻しスプリングでそのメイン・ハンガー・バーの両側にそのグリップを引っ込める。
【実施例１】
【０００７】
以下、特定されて図示された具体例に基づいて、この発明の格納型逆Ｔ字ハンガー付きヘッドレストを説明するに、図１ないし図７は、乗用車のドライバー・シートに活用されるところのこの発明の格納型逆Ｔ字ハンガー付きヘッドレストの具体例１０を示し、そして、このヘッドレスト１０は、左右のステー１１、１１を一体的に備えるフレーム（図示せず）、そのフレームに組み付けられて支持されるパッド１２、およびそれらに被せられて固定されるカバー１３で組み立てられ、そして、このヘッドレスト１０には、格納型逆Ｔ字ハンガー２０がそのヘッドレスト後面１４に格納可能に組み付けられている。そのヘッドレスト１０は、その格納型逆Ｔ字ハンガー２０を組み付けるためにそのヘッドレスト後面１４の下方部分にへこむところの格納へこみ段１５を付け、そして、その格納へこみ段１５に連続されてそのヘッドレスト後面１４の中央部分にへこむところの窪み１６を備え、そして、その窪み１６にその格納型逆Ｔ字ハンガー２０を組み付ける。その格納型逆Ｔ字ハンガー２０は押し下げ操作でハンガー状態から下方に搖動されてその格納へこみ段１５に移動されて格納され、また、その格納型逆Ｔ字ハンガー２０は引き上げ操作でその格納へこみ段１５から外されて上方に搖動され、そして、そのヘッドレスト後面１４の後方でその格納へこみ段１５よりも上方に離れるそのハンガー状態に移動される。
そして、このヘッドレスト１０では、その格納へこみ段１５がその窪み１６よりも少し深めに設定されてハンガー格納時の指はさみを防止している。
【０００８】
その格納型逆Ｔ字ハンガー２０は、そのヘッドレスト後面１４の下方部分にへこむその格納へこみ段１５に連続されるそのヘッドレスト後面１４のその窪み１６に固定的にはめ込まれる固定ハンガー・ブラケット２１と、根元に可動ハンガー・ブラケット２９を備えるステム２８、およびそのステム２８の先端に直交されて一体化される横断面Ｕ字形メイン・ハンガー・バー３０で組み立てられ、そして、その可動ハンガー・ブラケット２９でその固定ハンガー・ブラケット２１に上下方向に揺動可能に結合されてその格納へこみ段（格納位置）１５とそのハンガー状態（使用位置）との間に押し下げ引き上げ可能にされる逆Ｔ字メイン・ハンガー２７と、内部に角窓３５を備え、そのメイン・ハンガー・バー３０の両側上に摺動可能にはめ合わせられて支持され、そして、そのメイン・ハンガー・バー３０の両側に引き出されてハンガー状態の長さ延長させ、また、そのメイン・ハンガー・バー３０の両側に引っ込められて格納状態の長さに戻す左右のグリップ３３、３４と、その固定ハンガー・ブラケット２１とその可動ハンガー・ブラケット２９との間に配置され、そして、その使用位置にその逆Ｔ字メイン・ハンガー２７を付勢するねじりスプリング３６と、その逆Ｔ字メイン・ハンガー２７のその格納位置でその固定ハンガー・ブラケット２１にその可動ハンガー・ブラケット２９をロックするハンガー・ストッパー（図示せず）と、そのメイン・ハンガー・バー３０内に組み込まれ、両端でその左右のグリップ３３，３４に連結され、そして、その左右のグリップ３３、３４を引っ込め方向に付勢するグリップ戻しスプリング３７と、そのメイン・ハンガー・バー３０の両側端に突出されてそのメイン・ハンガー・バー３０に組み込まれる左右の弾性フック３９、３９、その左右のグリップ３３、３４のその角窓３５、３５にその左右の弾性フック３９、３９をはめ合わせ方向に付勢する左右のロック・スプリング４０、４０、および一端でその弾性フック３９、３９に結合されてそのメイン・ハンガー・バー３０およびステム２８内を通ってその可動ハンガー・ブラケット２９に伸び、そして、その他端でその固定ハンガーブラケット２１の左右の支持アーム２３、２３の側に止められる左右のロック・レリーズ・ワイヤ４１、４１とで組み立てられ、そして、ハンガー押し下げ操作に応動してその角窓３５、３５からその弾性フック３９、３９を外してそのグリップ戻しスプリング３７でそのメイン・ハンガー・バー３０の両側にそのグリップ３３、３４を引っ込めるロック装置３８と、その可動ハンガー・ブラケット２９に取り外し可能に組み付けられるブラケット・カバー４２とで構成される。
【０００９】
その固定ハンガー・ブラケット２１は、ベース・プレート２２の表面に左右の支持アーム２３、２３を突き出す構造に樹脂で成形され、その窪み１６にはめ込まれてそのベース・プレート２２でそのヘッドレスト１０にねじ止めされ、そして、その左右の支持アーム２３、２３の軸受け穴２４、２４間に細い丸棒のシャフト２５を通してその可動ハンガー・ブラケット２９をヒンジ結合にする。
【００１０】
その逆Ｔ字メイン・ハンガー２７は、その可動ハンガー・ブラケット２９とそのブラケット・カバー４２との間にその固定ハンガー・ブラケット２１のそのシャフト２５を挟んでその可動ハンガー・ブラケット２９にそのブラケット・カバー４２を組み付けてそのシャフト２５でその固定ハンガー・ブラケット２１に上下方向に揺動可能に結合される。
【００１１】
その左右のグリップ３３、３４は、引き出されたハンガー状態において、過剰な外力が引き出し方向に加わると、その左右の弾性フック３９、３９がその角窓３５、３５から外れてそのメイン・ハンガー・バー３０から抜けるようになっている。そのようにすることでその左右のグリップ３９、３９は高い剛性を確保することもなく破損が防止される。
そして、その左右のグリップ３９、３９は、そのハンガー状態において過剰な外力が引っ込め方向に加わると、その弾性フック３９、３９とその角窓３５、３５とのかみ合わせが解除されるようにもなっている。
また、その左右のグリップ３３、３４は、引っ込められた状態においてグリップ間に少なくとも指１本くらいの隙間を設定すれば、そのメイン・ハンガー・バー３０の両側に引っ込められる際、指はさみを防止する。
【００１２】
そのロック装置３８では、その左右のロック・レリーズ・ワイヤ４１、４１は、その他端側をそのステム２８および可動ハンガー・ブラケット２９の滑車３１、３１に案内されて案内穴３２、３２に通され、そしてさらに、その固定ハンガー・ブラケット２１のその左右の支持アーム２３、２３のトップに切り込まれたスリット２６、２６に導いてその固定ハンガー・ブラケット２１にその他端を止める。
【００１３】
したがって、そのヘッドレスト１０ではその格納型逆Ｔ字ハンガー２０が、構成を簡単にでき、そのヘッドレスト後面１４にコンパクトにまとめられて格納でき、そして、操作も簡単になり、すなわち、押し下げ操作で格納状態にでき、また、引き上げ操作でハンガー状態にでき、そのヘッドレスト後面１４の下方部分に格納できて使い易く、そして、格納時、邪魔にならず、さらには、そのハンガー２０がそのヘッドレスト１０に一体型であるので不使用時、そのハンガー２０がそのヘッドレスト後面１４の下方部分に格納できてそのハンガー２０が紛失することもなく、また、邪魔にならず、そのハンガー２０に掛けた上着が低い位置にあって後方視界の妨げや安全確保の妨げが避けられ、さらに、そのハンガー２０がそのねじリスプング３６によって上方への付勢、保持されるので、使用時の操作が複雑化されず、そして、そのハンガー２０がそのヘッドレスト後面１４の下方部分のへこみ段１５に格納されるので、格納時、違和感のないヘッドレスト１０の外観品質が得られ、それに伴ってそのハンガー２０の存在感もアピールできる。
【００１４】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【産業上の利用可能性】
【００１５】
上述から理解されるように、この発明の格納型逆Ｔ字ハンガー付きヘッドレストは、ヘッドレスト後面の下方部分にへこむ格納へこみ段に連続されるそのヘッドレスト後面の窪みに固定的にはめ込まれる固定ハンガー・ブラケットと、根元に可動ハンガー・ブラケットを備えるステム、およびそのステムの先端に直交されて一体化される横断面Ｕ字形メイン・ハンガー・バーで組み立てられ、そして、その可動ハンガー・ブラケットでその固定ハンガー・ブラケットに上下方向に搖動可能に結合されてその格納へこみ段（格納位置）とハンガー状態（使用位置）との間に押し下げ引き上げ可能にされる逆Ｔ字メイン・ハンガーと、そのメイン・ハンガー・バーの両側上に摺動可能にはめ合わされて支持され、そして、そのメイン・ハンガー・バーの両側に引き出されてハンガー状態の長さに延長させ、また、そのメイン・ハンガー・バーの両側に引っ込められて格納状態の長さに戻す左右のグリップと、その固定ハンガー・ブラケットとその可動ハンガー・ブラケットとの間に配置され、そして、その使用位置にその逆Ｔ字メイン・ハンガーを付勢するねじりスプリングと、その逆Ｔ字メイン・ハンガーのその格納位置でその固定ハンガー・ブラケットにその可動ハンガー・ブラケットをロックするハンガー・ストッパーとを含むので、この発明の格納型逆Ｔ字ハンガー付きヘッドレストでは、その格納型逆Ｔ字ハンガーが、構成を簡単にでき、ヘッドレスト後面にコンパクトにまとめられて格納でき、そして、操作も簡単になり、すなわち、押し下げ操作で格納状態にでき、また、引き上げ操作でハンガー状態にでき、そのヘッドレスト後面の下方部分に格納できて使い易く、そして、格納時、邪魔にならず、さらには、ハンガーがヘッドレストに一体型であるので不使用時、そのハンガーがそのヘッドレスト後面の下方部分に格納できてそのハンガーが紛失することもなく、また、邪魔にならず、そのハンガーに掛けた上着が低い位置にあって後方視界の妨げや安全確保の妨げが避けられ、さらに、そのハンガーがそのねじリスプングによって上方への付勢、保持されるので、使用時の操作が複雑化されず、そして、そのハンガーがそのヘッドレスト後面の下方部分のへこみ段に格納されるので、格納時、違和感のないヘッドレストの外観品質が得られ、それに伴ってそのハンガーの存在感もアピールでき、その結果、自動車シートにとって非常に有用で実用的である。
【図面の簡単な説明】
【００１６】
【図１】乗用車のドライバー・シートに活用され、そして、ハンガーを格納状態に置くところのこの発明の格納型逆Ｔ字ハンガー付きヘッドレストの具体例を斜め後方から見て示した斜視図である。
【図２】そのハンガーを引き上げてハンガー状態に置くところのその格納方Ｔ字ハンガー付きヘッドレストを斜め後方から見て示した斜視図である。
【図３】そのハンガーを引き上げてハンガー状態に置くところのその格納型逆Ｔ字ハンガー付きヘッドレストを斜め後方で下方から見て示した斜視図である。
【図４】そのハンガーを格納状態に置き、そして、左のグリップおよびブラケット・カバーを省くところのその格納型逆Ｔ字ハンガー付きヘッドレストを斜め後方から見て示した部分斜視図である。
【図５】格納型逆Ｔ字ハンガーを部分的に断面して示した斜視図である。
【図６】図１の６−６線に沿って示した断面図である。
【図７】図２の７−７線に沿って示した断面図である。
【符号の説明】
【００１７】
１０  ヘッドレスト
１２  パッド
１３  カバー
１４  ヘッドレスト後面
１５  格納へこみ段
１６  窪み
２０  格納型逆Ｔ字ハンガー
２１  固定ハンガー・ブラケット
２２  ベース・プレート
２３  支持アーム
２４  軸受け穴
２５  シャフト
２６  スリット
２７  逆Ｔ字メイン・ハンガー
２８  ステム
２９  可動ハンガー・ブラケット
３０  横断面Ｕ字型メイン・ハンガー・バー
３１  滑車
３２  案内穴
３３  左のグリップ
３４  右のグリップ
３５  角窓
３６  ねじりスプリング
３７  グリップ戻しスプリング
３８  ロック装置
３９  弾性フック
４０  ロック・スプリング
４１  ロック・レリーズ・ワイヤ
４２  ブラケット・カバー
【図１】
2008183183.tif 000003
【図２】
2008183183.tif 000004
【図３】
2008183183.tif 000005
【図４】
2008183183.tif 000006
【図５】
2008183183.tif 000007
【図６】
2008183183.tif 000008
【図７】
2008183183.tif 000009
【手続補正書】
【提出日】平成19年2月12日(2007.2.12)
【手続補正１】
【補正対象書類名】特許請求の範囲
【補正対象項目名】請求項２
【補正方法】変更
【補正の内容】
【請求項２】
ヘッドレスト後面の下方部分にへこむ格納へこみ段に連続されるそのヘッドレスト後面の窪みに固定的にはめ込まれる固定ハンガー・ブラケットと、根元に可動ハンガー・ブラケットを備えるステム、およびそのステムの先端に直交されて一体化される横断面Ｕ字形メイン・ハンガー・バーで組み立てられ、そして、その可動ハンガー・ブラケットでその固定ハンガー・ブラケットに上下方向に搖動可能に結合されてその格納へこみ段（格納位置）とハンガー状態（使用位置）との間に押し下げ引き上げ可能にされる逆Ｔ字メイン・ハンガーと、内部に窓を備え、そのメイン・ハンガー・バーの両側上に摺動可能にはめ合わされて支持され、そして、そのメイン・ハンガー・バーの両側に引き出されてハンガー状態の長さに延長させ、また、そのメイン・ハンガー・バーの両側に引っ込められて格納状態の長さに戻す左右のグリップと、その固定ハンガー・ブラケットとその可動ハンガー・ブラケットとの間に配置され、そして、その使用位置にその逆Ｔ字メイン・ハンガーを付勢するねじりスプリングと、その逆Ｔ字メイン・ハンガーのその格納位置でその固定ハンガー・ブラケットにその可動ハンガー・ブラケットをロックするハンガー・ストッパーと、そのメイン・ハンガー・バー内に組み込まれ、両端でその左右のグリップに連結され、そして、その左右のグリップを引っ込め方向に付勢するグリップ戻しスプリングと、そのメイン・ハンガー・バーの両側端に突き出されてそのメイン・ハンガー・バーに組み込まれる左右の弾性フック、その左右のグリップのその窓にその左右の弾性フックをはめ合わせ方向に付勢する左右のロック・スプリング、および一端でその弾性フックに結合されてそのメイン・ハンガー・バーおよびステム内を通ってその可動ハンガー・ブラケットに伸び、そして、他端でその固定ハンガー・ブラケットの左右の支持アーム側に止められる左右のロック・レリーズ・ワイヤとで組み立てられ、そして、ハンガー押し下げ操作に応動してその窓からその弾性フックを外してそのグリップ戻しスプリングでそのメイン・ハンガー・バーの両側にそのグリップを引っ込めるロック装置とを含む格納型逆Ｔ字ハンガー付きヘッドレスト。
【手続補正２】
【補正対象書類名】明細書
【補正対象項目名】０００６
【補正方法】変更
【補正の内容】
【０００６】
固定ハンガー・ブラケットは、ヘッドレスト後面の下方部分にへこむ格納へこみ段に連続されるそのヘッドレスト後面の窪みに固定的にはめ込まれ、逆Ｔ字メイン・ハンガーは、根元に可動ハンガー・ブラケットを備えるステム、およびそのステムの先端に直交されて一体化される横断面Ｕ字形メイン・ハンガー・バーで組み立てられ、そして、その可動ハンガー・ブラケットでその固定ハンガー・ブラケットに上下方向に搖動可能に結合されてその格納へこみ段（格納位置）とハンガー状態（使用位置）との間に押し下げ引き上げ可能にされ、左右のグリップは、内部に窓を備え、そのメイン・ハンガー・バーの両側上に摺動可能にはめ合わされて支持され、そして、そのメイン・ハンガー・バーの両側に引き出されてハンガー状態の長さに延長させ、また、そのメイン・ハンガー・バーの両側に引っ込められて格納状態の長さに戻し、ねじりスプリングは、その固定ハンガー・ブラケットとその可動ハンガー・ブラケットとの間に配置され、そして、その使用位置にその逆Ｔ字メイン・ハンガーを付勢し、ハンガー・ストッパーは、その逆Ｔ字メイン・ハンガーのその格納位置でその固定ハンガー・ブラケットにその可動ハンガー・ブラケットをロックし、グリップ戻しスプリングは、そのメイン・ハンガー・バー内に組み込まれ、両端でその左右のグリップに連結され、そして、その左右のグリップを引っ込め方向に付勢し、左右の弾性フックは、そのメイン・ハンガー・バーの両側端に突き出されてそのメイン・ハンガー・バーに組み込まれ、ロック装置は、その左右のグリップのその窓にその左右の弾性フックをはめ合わせ方向に付勢する左右のロック・スプリング、および一端でその弾性フックに結合されてそのメイン・ハンガー・バーおよびステム内を通ってその可動ハンガー・ブラケットに伸び、そして、他端でその固定ハンガー・ブラケットの左右の支持アーム側に止められる左右のロック・レリーズ・ワイヤとで組み立てられ、そして、ハンガー押し下げ操作に応動してその窓からその弾性フックを外してそのグリップ戻しスプリングでそのメイン・ハンガー・バーの両側にそのグリップを引っ込める。